【手続補正書】
【提出日】平成16年10月26日(2004.10.26)
【手続補正１】
【補正対象書類名】明細書
【補正対象項目名】特許請求の範囲
【補正方法】変更
【補正の内容】
【特許請求の範囲】
【請求項１】  各発泡体成分を混合して膨張可能な発泡体を形成すると共に該発泡体を供給する供給器であって、
発泡体成分取入口と発泡体混合チャンバとを有する本体部分と、
ユーザが把持および操作をし易いように上記本体部分から延在する共に停止表面を有する把持部と、
上記供給器混合チャンバに進入する発泡体成分の流れを制御するように上記本体部分に配設された流量制御弁と、
上記流量制御弁に移動可能に取付けられると共に上記把持部に対向しつつ該把持部から離間して配設されたトリガであって、当該トリガの運動により上記流量制御弁が開放且つ閉鎖されることで、それぞれ当該供給器を通る上記各発泡体成分の流れが許容され且つ当該供給器を通る上記各発泡体成分の流れが止められるトリガと、
当該供給器の偶発的な操作を防止する安全装置であって、上記トリガに移動可能に取付けられると共に該トリガの長さ方向に延在し、上記把持部の停止表面に対向して配置された突出アーム部分であって上記流量制御弁の偶発的操作を引き起こすのに十分な上記トリガの実質的な偶発的移動を防止する突出アーム部分を有する安全装置とを具備する供給器。
【請求項２】  前記安全装置は前記トリガの外側面を越えてトリガの丈に亙り延在する起動部分を更に有し、上記トリガが押し込まれるときにユーザの指が上記安全装置を把持して起動する請求項１記載の供給器。
【請求項３】  前記安全装置は、前記流量制御弁が閉鎖される第一作動位置と上記流量制御弁が開放される第二作動位置との間で移動可能であり、
当該供給器は、上記安全装置を上記第一作動位置に付勢する手段であって上記安全装置を前記把持部に連結する手段を更に有する請求項１記載の供給器。
【請求項４】  前記安全装置は、ユーザにより押し込まれたときに該安全装置が反時計回りに移動し且つ前記安全装置のアーム部分が前記把持部の停止表面と対向しなくなるように移動するように、前記トリガに移動可能に取付けられる請求項２記載の供給器。
【請求項５】  前記安全装置は、ユーザにより押し込まれたときに該安全装置は時計回りに移動し且つ前記安全装置のアーム部分が前記把持部の停止表面と対向しなくなるように移動するように、前記トリガに移動可能に取付けられる請求項２記載の供給器。
【請求項６】  前記安全装置が前記第一作動位置にあるときに前記安全装置のアーム部分が前記把持部停止表面に対向することで、前記流量制御弁を操作する前記トリガの実質的な移動を防止し、且つ、上記安全装置が前記第二作動位置にあるときに上記安全装置のアーム部分が上記把持部停止表面と対向しなくなるように移動することで上記トリガが上記流量制御弁を操作するように移動される請求項３記載の供給器。
【請求項７】  前記安全装置の起動部分は、前記トリガを把持する場合に該トリガと前記安全装置との両方がユーザの指により起動されるように、上記トリガの外側表面を越えて該トリガの長さに亘って突出する請求項２記載の供給器。
【請求項８】  前記安全装置の起動部分は前記トリガの前面に沿って配設される請求項７記載の供給器。
【請求項９】  前記トリガと前記安全装置とが並んだものを前記把持部から離間し且つ付勢する付勢スプリングを更に有する請求項１記載の供給器。
【請求項１０】  関連する供給ノズルを通る少なくとも一条の流体からの流体を供給する供給器組立体であって、
流体取入口と流体吐出口とを有する本体部分と、
ユーザが把持および操作し易いように上記本体部分から延在する把持部と、
供給ノズルを通る流体の流れを制御するように上記本体部分に配設された流量制御弁と、
上記流量制御弁を選択的に操作するように上記把持部と対向しつつ該把持部から離間して配設されたトリガと、
上記流量制御弁の偶発的な操作を防止する安全装置であって、上記トリガに取付けられると共に該トリガの把持表面に沿って該トリガの長さ方向に延在する安全装置とを具備する供給器組立体。
【請求項１１】  前記安全装置と前記トリガとを前記把持部から離間した第一作動位置へと付勢する手段であって、上記安全装置と上記把持部との間に介設された付勢手段を更に有する請求項１０記載の供給器組立体。
【請求項１２】  前記付勢手段は前記把持部と前記安全装置とにそれぞれ係合する対向する二つの自由端部を有するスプリングを有する請求項１１記載の供給器組立体。
【請求項１３】  前記スプリングは前記二つの自由端部間に介設されたコイル部分を備えたコイルスプリングを有する請求項１２記載の供給器組立体。
【請求項１４】  前記各自由端部は前記把持部と前記安全装置とにそれぞれ係合するように前記コイル部分から上方に延在する請求項１３記載の供給器組立体。
【請求項１５】  前記把持部は把持表面を有すると共に前記トリガは把持表面を有し、上記トリガの把持表面は上記把持部の把持表面に沿って該把持部の把持表面の長さに亘って延在する請求項１０記載の供給器組立体。
【請求項１６】  前記安全装置は前記トリガ内に移動可能に取付けられると共に上記トリガは前記流量制御弁に取付けられ、上記安全装置は上記流量制御弁の下方において上記トリガ内に取付けられる請求項１０記載の供給器組立体。
【請求項１７】  少なくとも二種の流体を混合して該混合流体を放出する供給器であって、
少なくとも二つの流体取入口を有する供給器本体部分であって、供給ノズルと、上記本体部分内に配設された流量制御弁であって、上記供給ノズルと上記流体取入口との間に介設されて、上記供給器本体部分を通って上記供給ノズルから放出される上記流体の流れを制御する流量制御弁とを有する供給器本体部分と、
ユーザが当該供給器を把持し易いように上記本体部分から延在する把持部であって、前向きの停止表面とその近傍のキャビティとを有する把持部と、
上記供給器本体部分に移動可能に取付けられたトリガであって、上記把持部から離すような付勢力を該トリガに及ぼすスプリング部材により上記把持部から離間され、ユーザの手により加えられた圧力で上記把持部に向けて移動可能であり、更に上記流量制御弁に対して作用的に連結され、上記把持部に向けた該トリガの移動により上記流量制御弁が一方向に回転されて開放されることで当該供給器を通って上記供給ノズルから放出される上記流体の通過が許容される一方、上記把持部から離れる該トリガの移動により上記流量制御弁が上記一方向とは反対方向に回転されて閉鎖されることで当該供給器を通って上記供給ノズルから放出される上記流体の通過が防止されるトリガと、
上記トリガおよび上記流量制御弁の偶発的操作を防止するトリガロックであって、上記トリガに移動可能に取付けられた長寸ロック部材であって上記トリガに関して該トリガの長さ方向に延在する長寸ロック部材を有し、該ロック部材が上記把持部に向けた上記トリガの移動に対して選択的に干渉する後方突出アームを有し、上記アームが上記停止表面に対向して配設される第一作動位置と上記アームが上記キャビティに対向して配設される第二作動位置との間で移動可能であるトリガロックとを具備する供給器。
【請求項１８】  前記キャビティは前記停止表面の近傍であって該停止表面の上方に配設される請求項１７記載の供給器。
【請求項１９】  前記キャビティは前記停止表面の近傍であって該停止表面の下方に配設される請求項１７記載の供給器。
【請求項２０】  前記アームは、前記安全装置が前記第一作動位置にあり且つ前記流量制御弁を操作するように前記トリガが前記把持部に向けて移動されたときに前記停止表面に接触する自由端部を更に有する請求項１７記載の供給器。
【請求項２１】  流体の加圧補給源からの流体を供給する供給器であって、
流体取入口と流体吐出口とを有する本体部分であって、該本体部分が該本体部分から延在する把持部を有し、上記把持部がユーザにより把持される把持表面を有する本体部分と、
上記流体取入口と上記流体吐出口との間に介設されるべく上記本体部分内に配設されて上記流体吐出口を通る流体の流れを制御する流量制御弁であって、該流量制御弁内に形成された少なくとも一本の流路であって上記流体が通過するのを許容するために上記流体取入口および吐出口と連通されるように且つ連通から外されるように移動可能な少なくとも一本の流路を有する流量制御弁と、
上記流量制御弁を選択的に操作するトリガであって、上記流量制御弁に取付けられると共に上記把持部と対向し且つ該把持部から離間されるように上記本体部分から離れるように延在するトリガと、
上記流量制御弁の偶発的操作を防止するトリガロックであって、上記トリガに移動可能に取付けられると共に、上記把持部の上記把持表面に沿って上記トリガの長さに亘って延在する起動面を有するトリガロックとを具備する供給器。
【請求項２２】  前記トリガロックは該トリガロックから前記把持部に向かって後方に突出する停止アームを有し、
上記把持部は上記トリガロックの停止アームに対向するように該把持部に配設された停止表面と、該把持部に形成されたキャビティであって上記停止表面の近傍に配設されたキャビティとを有し、
これにより、ユーザが上記把持部を把持して上記トリガロック起動面を押し込んだときに上記トリガロックの停止アームは上記停止表面との対向しなくなるように移動されて上記把持部のキャビティと整列することで上記流量制御弁の操作が許容される請求項２１記載の供給器。
【手続補正２】
【補正対象書類名】明細書
【補正対象項目名】００２７
【補正方法】変更
【補正の内容】
【００２７】
安全装置２６がその「オン」位置にあると共にユーザが供給器１０を操作するために把持部１４に向けてトリガ２４を移動させようとした場合、捕捉部５４が停止部４２に接触し、また、尖端５６が配備されているときには該尖端５６が部分的に受容部４４と係合する。図５に示したように、この係合によりトリガ２４が更に移動することが防止される。このロック係合は、上記ガンが落下した場合等のように、トリガ２４の下側部分１３０に力が加わったときに生ずる。なお、キャビティ４０は停止部４２の上方に且つ受容部４４は停止部４２の下方に配設されるのが好ましい。但し、キャビティ４０は他の実施形態においては停止部４２の下方にも配設され得ると共に、受容部４４は不要とされる(図６から図８)。
【手続補正３】
【補正対象書類名】明細書
【補正対象項目名】００３９
【補正方法】変更
【補正の内容】
【００３９】
スロット１３２の一部として形成された端壁１３６と対向するように安全装置２６の底部１５６にはタブアーム１４４が延在し、該タブアームは（図３に示したように）安全装置２６の移動とトリガ２４からの安全装置２６の係合解除とを制限する。付勢スプリング６０の一部を受容するために、上記安全装置には溝１４２も配備される。
【手続補正４】
【補正対象書類名】明細書
【補正対象項目名】００４１
【補正方法】変更
【補正の内容】
【００４１】
図３は「ロック」状態における供給器１０を示し、この場合に安全装置２６は「オン」位置にあることから、トリガ２４は把持部から離れるように付勢されてスプール弁１０４が閉鎖位置にあることを意味する。クリップ７０(図２)は取入継手３０を、供給器ハウジング１６の座刳(ざぐ)り１５８内の所定位置に着脱自在に保持する。継手３０は、座刳り１５８内において液密関係(図３および図４)で該継手３０のシールを促すように溝６９内に設けられるＯリング７２を有する。
【手続補正５】
【補正対象書類名】図面
【補正対象項目名】図５
【補正方法】変更
【補正の内容】
【図５】
2004512936.tif 000001